(57)【要約】【課題】本発明はビデ装置に関することとして、ビデノズルと洗浄ノズルが上下に配列されてビデ装置の嵩を減少させて、水圧ではない別途のノズル引き出し装置を装着することで、ビデ装置内部に流入される洗浄水水圧の高低にかかわらずノズルが設定位置に正確に引き出されるようにするビデ用ノズル構造を提供することを目的とする。【解決手段】前記したような目的を果たすための本発明によるビデ用ノズル部構造は洗浄ノズル；前記洗浄ノズルの下側に装着されるビデノズル；前記洗浄ノズル及び／又はビデノズルを駆動する駆動モーター；前記駆動モーターと連結されて前記駆動モーターの回転力を伝逹する駆動ギアと、前記駆動ギアから回転力を伝逹されて前記洗浄ノズルが前後運動するようにする洗浄ノズルギアと、前記駆動ギアから回転力を伝逹されて前記ビデノズルが前後運動するようにするビデノズルギアが含まれるギア列；及び前記洗浄ノズルと前記ビデノズル及び前記ギア列等が収容されるノズルケース；が含まれる。【選択図】図２
2006104924.tif 000002
【特許請求の範囲】
【請求項１】
洗浄ノズル；
前記洗浄ノズルの下側に装着されるビデノズル；
前記洗浄ノズル及び／又はビデノズルを駆動する駆動モーター；
前記駆動モーターと連結されて前記駆動モーターの回転力を伝逹する駆動ギアと、前記駆動ギアから回転力を伝逹されて前記洗浄ノズルが前後運動するようにする第１ノズルギアと、前記駆動ギアから回転力を伝逹されて前記ビデノズルが前後運動するようにする第２ノズルギアが含まれるギア列；及び
前記洗浄ノズルと前記ビデノズル及び前記ギア列等が収容されるノズルケース；が含まれることを特徴とするビデ用ノズル部構造。
【請求項２】
前記洗浄ノズル及び／又はビデノズルの後側終端に連結されて、内周面にギア歯が形成されるラックワイヤが含まれることを特徴とする請求項１に記載のビデ用ノズル部構造。
【請求項３】
前記洗浄ノズルギア及び／又は前記ビデノズルギアのギア歯と歯み合わせられるラックワイヤが含まれることを特徴とする請求項１に記載のビデ用ノズル部構造。
【請求項４】
前記駆動ギアの回転力が前記第１ノズルギアに伝逹するようにするために装着される連結ギアが含まれることを特徴とする請求項１に記載のビデ用ノズル部構造。
【請求項５】
前記駆動ギアの回転力が前記第１ノズルギアに伝逹されるようにするために装着される従動ギアが含まれることを特徴とする請求項１に記載のビデ用ノズル部構造。
【請求項６】
前記第１ノズルギアの上側部に一体に形成されて、前記駆動ギアの回転力が伝逹される従動ギアが含まれることを特徴とする請求項１に記載のビデ用ノズル部構造。
【請求項７】
前記駆動ギアの回転力が前記第２ノズルギアに伝逹されるようにするために装着される伝逹ギアが含まれることを特徴とする請求項１に記載のビデ用ノズル部構造。
【請求項８】
前記第２ノズルギアと一体に形成されて、前記駆動ギアのギア歯と歯み合わせられる伝逹ギアが含まれることを特徴とする請求項１に記載のビデ用ノズル部構造。
【請求項９】
前記駆動ギアは円周側面が上下に二分されて、
上側面と下側面に所定の長さのギア歯がそれぞれ形成されることを特徴とする請求項１に記載のビデ用ノズル部構造。
【請求項１０】
前記ノズルケースは前面部側面に形成される洗浄水流入口と、
前記洗浄水流入口に流入される洗浄水が保存される洗浄水チェンバーと、
前記洗浄水チェンバーと前記洗浄ノズル及び／又はビデノズルが相互連通されるように少なくとも一つ以上形成される洗浄水流路が含まれることを特徴とする請求項１に記載のビデ用ノズル部構造。
【請求項１１】
後側上部面に突出形成されたラックワイヤ連結端が形成される洗浄ノズルと、
前記ラックワイヤ連結端が前後往復運動するようにガイドするガイド溝が形成されるノズルケースが含まれることを特徴とする請求項１に記載のビデ用ノズル部構造。
【請求項１２】
後側下部面に突出形成されたラックワイヤ連結端が形成されるビデノズルと、
前記ラックワイヤ連結端が前後往復運動するようにガイドするガイド溝が形成されるノズルケースが含まれることを特徴とする請求項１に記載のビデ用ノズル部構造。
【請求項１３】
上下に配列される洗浄ノズル及びビデノズル；
前記洗浄ノズル及び前記ビデノズルの後端と連結されるラックワイヤ；
前記洗浄ノズルの後端に連結されたラックワイヤとギア歯が歯み合わせられる第１ノーズルギアと、
前記ビデノズルの後端に連結されたラックワイヤとギア歯が歯み合わせられる第２ノズルギアと、
前記第１ノズルギア及び／又は前記第２ノズルギアに回転力を伝逹する駆動ギア；が含まれることを特徴とするビデ用ノズル部構造。
【請求項１４】
前記駆動ギアと歯み合わせられる連結ギア；
前記連結ギアと歯み合わせられる前記第１ノズルギアと一体に形成される従動ギア；が含まれることを特徴とする請求項１３に記載のビデ用ノズル部構造。
【請求項１５】
前記駆動ギアと歯み合わせられ、前記第２ノズルギアと一体に形成される伝逹ギアが含まれることを特徴とする請求項１３に記載のビデ用ノズル部構造。
【請求項１６】
前記駆動ギアの円周面は前記連結ギアと歯み合わせられるために形成される上部ギア歯と、
前記上部ギア歯の下側に形成されて前記伝達ギアと歯み合わせられる下部ギア歯が含まれることを特徴とする請求項１３に記載のビデ用ノズル部構造。
【請求項１７】
前記上部ギア歯及び前記下部ギア歯は前記駆動ギア円周面の一部分にだけ形成されることを特徴にする請求項１６に記載のビデ用ノズル部構造。
【請求項１８】
洗浄ノズル；
前記洗浄ノズルの下側に装着されるビデノズル；
前記洗浄ノズル及び／又はビデノズルを駆動する駆動モーター；
前記駆動モーターと連結され前記駆動モーターの回転力を伝逹する駆動ギアと、
前記駆動ギアと歯み合わせられ回転力を伝逹される従動ギアと、
前記従動ギアの下側に一体に形成され前記ビデノズルが前後運動するようにする第１ノズルギアと、
前記駆動ギアから回転力を伝逹されて前記ビデノズルが前後運動するようにする第２ノズルギアが含まれるギア列；及び
前記洗浄ノズルと前記ビデノズル及び前記ギア列等が収容されるノズルケース；が含まれることを特徴とするビデ用ノズル部構造。
【請求項１９】
前記駆動ギアと歯み合わせられ回転力を伝逹されて、前記第２ノズルギアの上側に一体に形成される伝逹ギアがより含まれることを特徴とする請求項１８に記載のビデ用ノズル部構造。
【請求項２０】
前記駆動ギアの外周面一側に装着されるマグネットと、
前記マグネットの位置を感知するための位置センサーが含まれることを特徴とする請求項１８に記載のビデ用ノズル部構造。
【請求項２１】
前記位置センサーは前記マグネットと等しい側のノズル部側面に装着され前記マグネットの位置を感知するようにすることを特徴とする請求項２０に記載のビデ用ノズル部構造。
【請求項２２】
前記第１ノズルギアの外周面にラックワイヤが絡められて、
前記ラックワイヤの一側終端は前記ビデノズルと連結され、前記第１ノズルギアが回転することによって前記ビデノズルが引出入されることを特徴とする請求項１８に記載のビデ用ノズル部構造。
【請求項２３】
前記第２ノズルギアの外周面にラックワイヤが絡められて、
前記ラックワイヤの一側終端は前記洗浄ノズルと連結され、前記第２ノズルギアが回転することによって前記洗浄ノズルが引出入されることを特徴とする請求項１８に記載のビデ用ノズル部構造。
【請求項２４】
前記ビデノズルと連結されるラックワイヤは一側終端に形成されるラックワイヤヘッドが含まれて、
前記ビデノズルは外周面一側に形成されて前記ラックワイヤヘッドが結合されるためのラックワイヤヘッド結合端が含まれることを特徴とする請求項２２に記載のビデ用ノズル部構造。
【請求項２５】
前記洗浄ノズルと連結されるラックワイヤは一側終端に形成されるラックワイヤヘッドが含まれて、
前記洗浄ノズルは外周面一側に形成され前記ラックワイヤヘッドが結合されるラックワイヤヘッド結合端が含まれることを特徴とする請求項２３に記載のビデ用ノズル部構造。
【請求項２６】
側面に洗浄キーが突出形成される洗浄ノズル；
前記洗浄ノズルの下側に装着されて、側面にビデキーが突出形成されるビデノズル；
駆動モーターと連結され回転力を伝逹されて、前面枠部に帯形態で成り立つ上部ギア歯形成リムと、
背面枠部に帯形態で成り立つ下部ギア歯形成リムが含まれる駆動ギア；
前記駆動ギアから回転力を伝逹されて前記ビデノズルを駆動させる第１ノズルギア；及び
前記駆動ギアから回転力を伝逹されて前記洗浄ノズルを駆動させる第２ノズルギア；が含まれることを特徴とするビデ用ノズル部構造。
【請求項２７】
前記駆動ギアの背面に形成された前記下部ギア歯形成リムの内側には前記洗浄キー及び／又はビデキーが収容されるためのキー溝が形成されることを特徴とする請求項２６に記載のビデ用ノズル部構造。
【請求項２８】
前記駆動ギアの下部ギア歯形成リムの両終端は所定距離に間隔を置かれていて前記ビデキー又はノズルキーが引出入されるようにするキー引き出し口が含まれることを特徴とする請求項２６に記載のビデ用ノズル部構造。
【請求項２９】
前記駆動ギアが時計方向に回転すれば前記第２ノズルギアが反時計方向で回転するようになり、
前記第２ノズルギアが反時計方向に回転すれば前記洗浄ノズルが前方に引き出されて、
前記洗浄ノズルが前方に引き出される時、前記ビデノズルはビデキーが前記下部ギア歯形成リムの内側に引っ掛かるようになって引き出されることが防止されることを特徴とする請求項２６に記載のビデ用ノズル部構造。
【請求項３０】
前記駆動ギアが反時計方向に回転すれば前記第１ノズルギアが時計方向に回転するようになり、
前記第１ノズルギアが時計方向に回転すれば、前記ビデノズルが前方に引き出されて、
前記ビデノズルが前方に引き出される時、前記洗浄ノズルは洗浄キーが前記下部ギア歯形成リムの内側に引っ掛かるようになって引き出されることが防止されることを特徴とする請求項２６に記載のビデ用ノズル部構造。
【発明の詳細な説明】
【技術分野】
【０００１】
本発明はビデ装置に関することとして、より詳細に説明すると、肛門又は女性の局部のように洗浄部位によって別途のノズルが前後方向に作動してビデ又は洗浄作用が遂行されるようにするビデ用ノズル構造に関することである。
【背景技術】
【０００２】
一般的に、ビデに通称される洗浄機は座便器のシート上部に一体に設置され、使用者が用便を終えた後ちり紙を使わないで洗浄ノズルで噴射される洗浄水で使用者の肛門又は女性の場合局部を洗浄するための装置である。そして、前記ノズルは使用者の肛門を洗浄する洗浄ノズルと、女性の局部を洗浄するビデノズルで成り立つ。
【０００３】
このようなビデ用ノズルは前記ビデノズルと前記洗浄ノズルが左右にきちんとそろえて配列できる。従って、使用者が用便を終えた後ビデボタンを押せばビデ用ノズルが前方に突出される。そして、使用者の肛門に正確に洗浄水が噴射されるようにするためにノズルキャップが所定の角度に回転するようになる。そして、噴射口を通じて洗浄水が噴射され使用者の肛門が洗浄されるようになる。そして、ビデ動作が完了すれば前記ビデノズルは再び元の状態に復帰される。
【０００４】
又、使用者が洗浄ボタンを押すようになれば、前記洗浄ノズルが前方に進んで、使用者の局部に洗浄水が噴射されるようにノズルキャップの角度が調節される。
前記のようにビデノズルと洗浄ノズルが水平に配列される方式のビデ装置は本発明の出願人が出願して登録を受けたことがあり、大韓民国登録実用新案公報の登録番号“２０−０２６２７２５”等にその内容が記載されている。
【０００５】
又、前記ビデ用ノズルはビデノズルと洗浄ノズルが上下に高さの差を置いてきちんとそろえて配列されることもある。従って、前記のように左右方向にきちんとそろえて配列される方式に比べてビデ用ノズルの差の嵩が小くなる長所がある。そして、前記のように上下配列方式を取るビデ用ノズルの作動方式に対する内容は大韓民国登録実用新案公報の登録番号“２０−０２４３３５４”等に記載されている。
【０００６】
ここで、前記左右にきちんとそろえて配列される方式のビデ用ノズルの場合、二つのノズルが左側及び右側に位置されるために、使用者の肛門及び局部の垂直下方に位置されることができなくなる。言い換えれば、使用者の肛門及び局部を中心に左側及び右側に少し間隔を置いて位置される。
【０００７】
従って、使用者がビデ又は洗浄ボタンを押した時、前記ビデノズル又は洗浄ノズルは前方に引き出される段階と、ノズルキャップに形成された噴射口が使用者の肛門又は局部に向けるように所定角度に回転する段階がより遂行されなければならない短所がある。それだけでなく、前記ノズルキャップが所定角度に回転しても使用者の肛門又は局部に正確に照準を合わせられないない場合がたくさん発生するようになる。その結果、使用者の身体の他の部位に洗浄水が噴射されて洗浄水が跳ねるとか使用者の服につくようになれば、使用者は非常に不快な気持ちを感じるようになる。
【０００８】
又、前記上下にきちんとそろえて配列される方式のビデ用ノズルの場合、ビデノズル又は洗浄ノズルが引き出される方法として水圧を利用している。詳細に説明すると、使用者が用便を終えてビデ又は洗浄ボタンを押すようになれば、ステップモーターが反時計方向又は時計方向に回転するようになる。そして、前記ステップモーターの回転によって流路調節バルブが一緒に回転するようになる。そして、前記流路調節バルブの回転によって前記流路調節バルブケースに洗浄水が流入されて、前記流入された洗浄水の圧力によって前記ビデ又は洗浄ノズルが前進するようになる。
【０００９】
しかし、前記のように水圧を利用したノズル引き出し方式の場合、前記ビデ装置で流入される洗浄水の水圧が低い場合ビデ又は洗浄ノズルの作動が正確に成り立つことができない短所がある。言い換えれば、ビデ又は洗浄ノズルが正確な位置へ来るようにするためには一定水準以上の水圧が要求される。しかし、前記要求される水準より水圧が低い所ではビデ装置で流入される洗浄水の水圧も低くなるようになる。結果的に、前記ビデ又は洗浄ノズルは低い水圧によって完全に引き出されることができなくなる。従って、使用者の身体中の他の部位に洗浄水が噴射され使用者が不快感を感じるようになる問題が発生する。そして、十分な水圧が発生することができなければノズルの引き出しが一定にならないため、洗浄がよくできない問題が発生する。
【００１０】
【特許文献１】大韓民国登録実用新案第２０−０２６２７２５号公報
【特許文献１】大韓民国登録実用新案第２０−０２４３３５４号公報
【発明の開示】
【発明が解決しようとする課題】
【００１１】
本発明は前記のような問題点を解決するために提案されたこととして、ビデノズルと洗浄ノズルが上下に配列されてビデ装置の嵩を減少させて、水圧ではない別途のノズル引き出し装置を装着することで、ビデ装置内部に流入される洗浄水水圧の高低にかかわらずノズルが設定位置に正確に引き出されるようにするビデ用ノズル構造を提供することを目的とする。
【課題を解決するための手段】
【００１２】
前記したような目的を果たすための本発明によるビデ用ノズル部構造は洗浄ノズル；前記洗浄ノズルの下側に装着されるビデノズル；前記洗浄ノズル及び／又はビデノズルを駆動する駆動モーター；前記駆動モーターと連結され前記駆動モーターの回転力を伝逹する駆動ギアと、前記駆動ギアから回転力を伝逹されて前記洗浄ノズルが前後運動するようにする洗浄ノズルギアと、前記駆動ギアから回転力を伝逹されて前記ビデノズルが前後運動するようにするビデノズルギアが含まれるギア列；及び前記洗浄ノズルと前記ビデノズル及び前記ギア列等が収容されるノズルケース；が含まれる。
【００１３】
又外の側面での本発明によるビデ用ノズル部構造は洗浄ノズル；前記洗浄ノズルの下側に装着されるビデノズル；前記洗浄ノズル及び／又はビデノズルを駆動する駆動モーター；前記駆動モーターと連結されて前記駆動モーターの回転力を伝逹する駆動ギアと、前記駆動ギアと噛み合わせられ回転力を伝逹される従動ギアと、前記従動ギアの下側に一体に形成され前記ビデノズルが前後運動するようにする第１ノズルギアと、前記駆動ギアから回転力を伝逹されて前記ビデノズルが前後運動するようにする第２ノズルギアが含まれるギア列；及び前記洗浄ノズルと前記ビデノズル及び前記ギア列等が収容されるノズルケース；が含まれる。
【発明の効果】
【００１４】
前記のような構成を成す本発明によるビデ用ノズル構造によって、ビデノズルと洗浄ノズルが上下に並んで配列されることで、ビデ装置の嵩が減少される効果がある。
又、前記ビデ及び洗浄ノズルが上下方向に配列されることで、使用者の局部と前記ノズルが同一線上に位置され、洗浄水が使用者の肛門又は局部に正確に噴射される効果がある。
【００１５】
又、前記ノズルが水圧の高低にかかわらずいつも等しい位置に引き出されるようにすることで、洗浄水が使用者の肛門又は局部に正確に噴射される効果がある。そして、肛門とビデ洗浄の時肛門に照準をよくあわすことができて、ノズルがムーブ作動の時にも照準位置がよくあうようになる効果がある。
【発明を実施するための最良の形態】
【００１６】
以下では本発明の具体的な実施例を図面と一緒に詳細に説明するようにする。しかし、本発明の思想が提示される実施例に制限されることなく、又外の構成要素の追加、変更、削除等によって、退歩的な他の発明や本発明思想の範囲内に含まれる他の実施例を容易に提案することができる。
【００１７】
図１は本発明の思想によるノズル構造が具備されたビデ装置を示す透視図である。
図１を参照すれば、本発明によるノズル構造が具備されたビデ（１００）は使用者が座るシート（１１０）と、前記シート（１１０）の中心部に形成された開口部を開閉するためのカバー（１２０）と、前記シート（１１０）及び前記カバー（１２０）が装着されて、内部に各種部品が装着された電場部（１３０）が含まれる。詳細に説明すると、前記電場部（１３０）内部には洗浄水が噴射されるノズル部（２００）と、前記ノズル部（２００）のノズルが前後往復運動するようにする駆動モーター（３００）が含まれる。詳細に説明すると、前記駆動モーター（３００）は正逆回転が可能なモーターであることが望ましく、シンクロノウズモーター（synchronous motor）、ＤＣモーター（DC motor）、サーボモーター（servo motor）等が可能である。
【００１８】
又、前記ノズル部（２００）のビデノズル又は洗浄ノズルで洗浄水を分配する流路転換バルブ（１６０）と、前記流路転換バルブ（１６０）と連結され前記流路転換バルブ（１６０）内部に空気を噴射するエアポンプ（１５０）が含まれる。
【００１９】
一方、前記電場部（１３０）の一側面に装着され前記ビデ（１００）の作動を制御する作動ボタンなどが装着されたコントロールパネル（１４０）がより含まれる。
【００２０】
以下前記ビデ（１００）装置の機能に対して説明する。
先ず、使用者は前記カバー（１２０）が上側に持ち上げられるようにする。そして、前記シート（１１０）に着座して用便を済ませた後、前記コントロールパネル（１４０）に装着された肛門洗浄ボタンを押す。そうすると、前記ノズル部（２００）から洗浄ノズル（後述する）が前方に引き出されて、前記洗浄ノズルの終端に形成された噴射口を通じて洗浄水が噴射される。そして、洗浄が完了すると前記洗浄ノズルは再び元の位置に復帰される。
【００２１】
一方、使用者が局部洗浄ボタンを押すようにすると、前記ノズル部（２００）からビデノズル（後述する）が前方に引き出されて、前記ビデノズルの終端に形成された噴射口を通じて洗浄水が噴射される。そして、前記局部洗浄作動が完了すれば、前記ビデノズルは再び元の位置に復帰される。
【００２２】
図２は本発明の第１実施例によるノズル部の右側面斜視図である。
図２を参照すれば、本発明によるビデ（１００）のノズル部（２００）は使用者の肛門洗浄のための洗浄ノズル（２１０）と、前記洗浄ノズル（２１０）の下側に装着されて、女性の局部洗浄のためのビデノズル（２２０）と、前記洗浄ノズル（２１０）及び前記ビデノズル（２２０）が収容されるノズルケース（２３０）が含まれる。
又、前記ノズル部（２００）は前記駆動モーター（３００）に連結される駆動ギア（２４０）と、前記駆動ギア（２４０）の一側に装着され相互に噛み合わせられる連結ギア（２５０）と、前記連結ギア（２５０）と噛み合わせられ前記駆動ギア（２４０）の回転力を伝逹される従動ギア（２６０）が含まれる。詳細に説明すると、前記駆動ギア（２４０）の中心には前記駆動モーター（３００）の回転軸が挿入されるためのモーター軸貫通孔（２４１）が形成される。ここで、前記駆動ギア（２４０）の形状に対する説明は後述することにする。
【００２３】
又、前記従動ギア（２６０）の下側に一体に装着されて、前記洗浄ノズル（２１０）が前後に移動されるようにする上部ラックワイヤ（rack wire）（２１４）が噛み合わせられる第１ノズルギア（２７０）と、前記駆動ギア（２４０）の下側に装着されて相互に噛み合わせられる伝逹ギア（２８０）が含まれる。詳細に説明すると、前記伝逹ギア（２８０）の向かい側には後述するようになるビデノズルギアが一体に形成される。しかし、ここで前記伝逹ギア（２８０）と前記ビデノズルギアは軸に連結されて一緒に回転するようにすることもできる。
【００２４】
一方、前記洗浄ノズル（２１０）は後側上端面にラックワイヤ結合端（２１３）が形成されて、前記上部ラックワイヤ（２１４）の終端には上部ラックワイヤヘッド（２１５）が形成される。そして、前記上部ラックワイヤヘッド（２１５）と前記ラックワイヤ結合端（２１３）が相互に結合されて、前記上部ラックワイヤ（２１４）の運動によって前記洗浄ノズル（２１０）が前後往復運動するようになる。
【００２５】
又、前記ノズルケース（２３０）の上部には前記ラックワイヤ結合端（２１３）が前後往復運動するようにガイドするラックワイヤ結合端ガイド溝（２３４）が長く形成される。そして、前記ノズルケース（２３０）の背面と下端部は丸く形成されて、前記背面と後面の枠に沿って所定の幅と深さを持つ上部ラックワイヤガイド溝（２３６）が形成される。詳細に説明すると前記上部ラックワイヤガイド溝（２３６）に前記上部ラックワイヤ（２１４）が装着されて、前記第１ノズルギア（２７０）が回転することによって前記上部ラックワイヤ（２１４）は前記上部ラックワイヤガイド溝（２３６）に沿って往復運動するようになる。
【００２６】
又、前記ノズルケース（２３０）の下端には後述するように下部ラックワイヤヘッドが前後往復運動する通路になるラックワイヤ結合端ガイド溝（２３５）が長く形成される。そして、前記ノズルケース（２３０）の前端部側面には前記洗浄ノズル（２１０）と前記ビデノズル（２２０）を洗浄するための洗浄水が流入される洗浄水流入口（２３１）が形成される。
【００２７】
図３は本発明の第１実施例によるノズル部の左側斜視図である。
図３を参照すれば、本発明によるノズル部（２００）の左側面には前記伝逹ギア（２８０）の向かい側に一体に形成されるとか軸結合される第２ノズルギア（２９０）と、前記第２ノズルギア（２９０）の外周面に形成されたギア歯と噛み合わせられ、前記第２ノズルギア（２９０）が回転することによって前後往復運動する下部ラックワイヤ（２２４）が含まれる。
【００２８】
そして、前記下部ラックワイヤ（２２４）が装着されて前後往復運動が容易に遂行されるように機能する下部ラックワイヤガイド溝（２３７）が形成される。詳細に説明すると、前記下部ラックワイヤガイド溝（２３７）は前記上部ラックワイヤガイド溝（２３６）の向かい側に形成される。そして、前記ノズルケース（２３０）の後側下端のラウンドになった枠に沿って所定の幅と深さを持って形成される。
【００２９】
一方、図示されたように前記洗浄ノズル（２１０）の後側終端には側方向に突出形成されるホース連結口（２１６）が含まれて、前記ビデノズル（２２０）の後側終端にもホース連結口（２２６）が形成される。詳細に説明すると前記ホース連結口（２１６）（２２６）は前記流路転換バルブ（１６０）と連結されて、洗浄水が前記洗浄ノズル（２１０）又はビデノズル（２２０）で選択的に流入されるようにする。
以下図２及び図３を参照して、本発明によるビデノズル装置の作動に対して簡略に記述する。
【００３０】
先ず、前記駆動モーター（３００）に連結された駆動ギア（２４０）が回転すれば、前記連結ギア（２５０）又は前記伝逹ギア（２８０）が回転するようになり、詳細に説明すれば、前記連結ギア（２５０）と前記伝逹ギア（２８０）は選択的に回転する。言い換えれば、前記連結ギア（２５０）が前記駆動ギア（２４０）と噛み合わせられ回転すれば前記洗浄ノズル（２１０）が前後に往復運動するようになり、前記伝逹ギア（２８０）が前記駆動ギア（２４０）と噛み合わせられ回転すれば前記ビデノズル（２２０）が前後に往復運動するようになる。
【００３１】
又、前記洗浄ノズル（２１０）又は前記ビデノズル（２２０）が引き出されて洗浄とビデが終わって再び元の位置に復帰された後には、次の過程が遂行される前に必ず強制洗浄が遂行される。例えば、前記洗浄ノズル（２１０）が引き出されて使用者の肛門洗浄が終わった後には再び前記ノズルケース（２３０）内部で陥入される。そして、前記洗浄水流入口（２３１）を通じて流入された洗浄水によって前記洗浄ノズル（２１０）が強制洗浄されるようにビデ装置に内蔵されたマイコン（未図示）によって制御される。
【００３２】
図４は本発明の第１実施例によるノズル装置において、ノズルケースが除去された状態のノズル装置を示す右側斜視図で、図５はノズルケースが除去された状態のノズル装置を示す左側斜視図である。
【００３３】
図４及び図５を参照すれば、本発明によるノズル（２００）装置は図示されたように所定の長さを持つ洗浄ノズル（２１０）と、その下側にきちんと並んで形成されるビデノズル（２２０）が含まれることは上述したところである。
【００３４】
より詳細に説明すると、前記洗浄ノズル（２１０）の前側終端には洗浄水が噴射されるための噴射口（２１２）が形成されるノズルキャツプ（２１１）が含まれる。同じように前記ビデノズル（２２０）の終端にノズルキャツプ（２１１）が装着されて、前記ノズルキャップ（２１１）の上端面には噴射口（２２２）が形成される。
【００３５】
又、前記洗浄ノズルの後側終端上部面にはラックワイヤ結合端（２１３）が形成される。詳細に説明すると、前記ラックワイヤ結合端（２１３）は側面の大体中央部に所定の深さと幅を持つ溝が形成される。そして、前記ラックワイヤ結合端（２１３）には前記上部ラックワイヤ（２１４）の終端に形成される上部ラックワイヤヘッド（２１５）が結合される。より詳細に説明すると、前記上部ラックワイヤヘッド（２１５）の側面の大体中央部にも所定の幅と深さを持つ溝が形成されて、前記上部ラックワイヤヘッド（２１５）と前記ラックワイヤ結合端（２１３）の溝と突起が相互に結合される。
【００３６】
又、前記上部ラックワイヤ（２１４）は前記上部ラックワイヤヘッド（２１５）から所定の長さを持って、内周面にギア歯が形成される線形ギアとして前記第１ノズルギア（２７０）のギア歯と噛み合わせられる。
【００３７】
又、前記ビデノズルギア（２２０）の後側終端下部面にはラックワイヤ結合端（２２３）が形成される。ここで、前記ラックワイヤ結合端（２１３）（２２３）は前記ノズル（２１０）（２２０）と一体に射出成形されることが望ましい。
【００３８】
一方、前記ラックワイヤ結合端（２２３）は前記下部ラックワイヤヘッド（２２５）の上側面に形成された溝に挿入される。そして、前記下部ラックワイヤ（２２４）も前記上部ラックワイヤ（２１４）と同じように内周面に形成されたギア歯が前記第２ノズルギア（２９０）の外周面に噛み合わせられる。
【００３９】
図６は本発明の第１実施例によるビデノズル装置のギア部分を示す拡大斜視図である。
図６を参照すれば、本発明によるビデのノズルは駆動モーター（３００）と連結されたギアの回転によって前後運動するようになる。
【００４０】
詳細に説明すると、前記駆動モーター（３００）と軸連結される前記駆動ギア（２４０）は中心部に前記駆動モーター（３００）の回転軸が挿入されるためのモーター軸貫通孔（２４１）が形成される。そして、前記駆動ギア（２４０）は側面が上下に二分されていて、上側部に形成される上部ギア歯（２４２）と、下側部に形成される下部ギア歯（２４３）に分けられる。
【００４１】
又、前記上部ギア歯（２４２）及び下部ギア歯（２４３）は前記駆動ギア（２４０）の側面周囲全体に形成されるのではなく、一部分にだけ形成される。そして、前記下部ギア歯（２４２）のスタート点（２４４）と、前記下部ギア歯（２４３）のスタート点（２４６）は所定距離（ｃ）位に間隔が置かれる。そして、前記上部ギア歯スタート点（２４４）と終止点（２４５）間の長さ（ａ）は前記下部ギア歯（２４３）の長さと大体等しく形成される。
【００４２】
又、前記上部ギア歯（２４２）は前記連結ギア（２５０）のギア歯と噛み合わせられて、前記下部ギア歯（２４３）は前記伝逹ギア（２８０）と噛み合わせられる。詳細に説明すると、前記上部ギア（２４２）が前記連結ギア（２５０）と噛み合わせられ回転する間、前記伝逹ギア（２８０）は前記下部ギア（２４３）と噛み合わせられない。従って、前記伝逹ギア（２８０）は回転しないで停止状態になるようになる。反対に前記伝逹ギア（２８０）が前記下部ギア（２４３）と噛み合わせられ回転する間前記連結ギア（２５０）は停止状態になるようになる。
【００４３】
以下では前記ギアの回転によるノズル装置の作動に対して説明する。
先ず、使用者が洗浄ボタンを押すようになれば、前記駆動モーター（３００）が反時計方向に回転するようになって、前記駆動ギア（２４０）も一緒に反時計方向に回転するようになる。そして、前記駆動ギア（２４０）が回転するようになれば、前記上部ギア歯（２４２）と前記連結ギア（２５０）がお互いに噛み合わせられるようになる。詳細に説明すると、前記上部ギア歯スタート点（２４４）に形成されたギア歯が前記連結ギア（２５０）のギア歯と噛み合わせられながら前記連結ギア（２５０）が回転する。
【００４４】
一方、前記連結ギア（２５０）は時計方向に回転するようになって、前記連結ギア（２５０）と噛み合わせられる前記従動ギア（２６０）は反時計方向に回転するようになる。そして、前記従動ギア（２６０）の下側端に一体で連結された第１ノズルギア（２７０）が一緒に反時計方向に回転するようになる。そして、前記第１ノズルギア（２７０）が反時計方向に回転することによって、前記第１ノズルギア（２７０）のギア歯と噛み合わせられる上部ラックワイヤ（２１４）が前進されるようになる。従って、前記上部ラックワイヤ（２１４）が前進することによって前記洗浄ノズル（２１０）が前方に引き出されるようになる。
【００４５】
前記のような過程が遂行されて前記上部ギア歯終止点（２４５）が前記連結ギア（２５０）のギア歯と噛み合わせられる瞬間、又は前記上部ギア歯終止点（２４５）が前記連結ギア（２５０）のギア歯の噛み合わせ状態が終わる瞬間が前記洗浄ノズル（２１０）が最大に引き出された状態になるようにギアが構成される。
【００４６】
一方、前記のように前記洗浄ノズル（２１０）が最大に引き出された状態で、洗浄水が前記噴射口（２１２）を通じて噴射され使用者の肛門洗浄が終われば、前記駆動モーター（３００）は逆回転をするようになる。
【００４７】
詳細に説明すると、前記駆動モーター（３００）が逆回転することによって、前記駆動ギア（２４０）も時計方向に回転するようになる。そして、前記上部ギア歯スタート点（２４４）が前記連結ギア（２５０）のギア歯から離脱されるまで回転するようになって、前記洗浄ノズル（２１０）が元の位置に完全に復帰されるようになる。
【００４８】
ここで、図６は前記洗浄ノズル（２１０）が前記ノズルケース（２３０）内部に完全に挿入される元の位置の状態でのギア歯の構成を示すものだ。そして、前記上部ギア（２４２）と前記下部ギア歯（２４３）の形成位置の特性上、前記上部ギア歯スタート点（２４４）が前記連結ギア（２５０）から離脱されながら、前記下部ギア歯スタート点（２４６）は前記伝逹ギア（２８０）のギア歯と噛み合わせられ始める。
【００４９】
より詳細に説明すると、前記洗浄ノズル（２１０）が完全に元の位置に復帰された状態で前記駆動ギア（２４０）が時計方向に回転し始めれば、前記下部ギア歯（２４３）と前記伝逹ギア（２８０）のギア歯が噛み合わせられる。そして、前記伝逹ギア（２８０）は反時計方向に回転をするようになって、前記伝逹ギア（２８０）の向かい側に一体で連結されている第２ノズルギア（２９０）も反時計方向に回転するようになる。そして、前記第２ノズルギア（２９０）のギア歯と噛み合わせられた前記下部ラックワイヤ（２２４）が前記下部ラックワイヤガイド溝（２３７）に沿って前方に引き出されるようになる。従って、前記下部ラックワイヤ（２２４）と下側面が連結された前記ビデノズル（２２０）が前方に引き出されるようになる。そして、前記下部ギア歯終止点（未図示）が前記伝逹ギア（２８０）のギア歯と噛み合わせられる瞬間又は相互離脱される瞬間まで前記伝逹ギア（２８０）が回転するようになる。
【００５０】
ここで、前記伝逹ギア（２８０）が回転する間には前記連結ギア（２５０）は停止状態になることは前記駆動ギア（２４０）のギア歯形成特性上明白である。
【００５１】
図７は図２のＩ−Ｉ’線に沿って切開されるノズル装置の垂直断面図である。
図７を参照すれば、本発明によるノズル（２００）はノズルケース（２３０）と、前記ノズルケース（２３０）内に収容される洗浄ノズル（２１０）及びビデノズル（２２０）と、前記ノズルケース（２３０）の両側面を密閉させる側面カバー（２３２）が含まれる。そして、前記ノズルケース（２３０）と前記側面カバー（２３２）は多数個の締結部材によって結合可能で、望ましくはボルト又はスクリューによって締結されることができる。
【００５２】
又、前記ノズルケース（２３０）の前方一側面に前記側面カバー（２３２）を貫通して形成される洗浄水流入口（２３１）が形成される。そして、前記洗浄水流入口（２３１）を通じて流入された洗浄水が保存される所定空間である洗浄水チェンバー（２３３）が形成される。そして、前記洗浄水チェンバー（２３３）に形成された洗浄水が前記洗浄ノズル（２１０）のノズルキャップ（２１１）を洗浄するようにするために、前記洗浄ノズル（２１０）と連通される上部流路（２３８）が含まれる。そして、前記ビデノズル（２１０）のノズルキャップ（２２１）を洗浄するようにするために、前記ビデノズル（２２０）と連通される下部流路（２３９）が形成される。
【００５３】
一般的に、ビデ装置の場合、洗浄ノズル又はビデノズル中ある一つの作動が遂行されて、他の一つの作動が遂行される前に必ずノズルキャップ強制洗浄段階が遂行される。従って、前記肛門洗浄段階又はビデ洗浄段階の中のある一段階が終了して前記ノズル（２１０）（２２０）が元の位置に来れば、前記洗浄水流入口（２３１）を通じて洗浄水が前記洗浄水チェンバー（２３３）に流入される。そして、前記上部流路（２３８）又は前記下部流路（２３９）に沿って洗浄水が移動されて、前記洗浄ノズル（２１０）又は前記ビデノズル（２２０）を洗浄するようになる。
【００５４】
図８は本発明の思想によるノズル部構造の第２実施例を示す右側面図で、図９は前記ノズル部構造のギア列を示す右側面図である。
【００５５】
図８を参照すれば、本発明によるノズル部構造は前記駆動ギア（２４０）と従動ギア（２６０）を連結する連結ギア（２５０）が除去されて、前記駆動ギア（２４０）の位置を感知する位置センサー（５００）が付加することを特徴とする。
【００５６】
又、本発明によるノズル部構造は前記洗浄ノズル（２１０）又はビデノズル（２２０）中のある一つが引き出される過程で他の一つが一緒に引き出される現象が発生しない構造がより具備されることを特徴として、これについては図面と一緒に後述することにする。
【００５７】
一方、前記図２乃至図７に提示された本発明によるノズル部構造と等しい構成要素に対してはその説明を略することにする。
【００５８】
詳細に説明すると、本実施例によるノズル部構造はノズルケース（２３０）の両側面に付着するノズルケースカバー（２３８）と、前記ノズルケースカバー（２３８）の外側面に装着され前記駆動ギア（２４０）の位置を感知する位置センサー（５００）が含まれる。
【００５９】
又、前記駆動ギア（２４０）の外周面一側には前記位置センサー（５００）が前記駆動ギア（２４０）の位置を感知するために磁力を持つマグネット（４００）が付着する。ここで、前記位置センサー（５００）は図示されたように前記マグネット（４００）と近接された位置に装着されるようにして、前記駆動ギア（２４０）が回転する時前記マグネット（４００）の位置を正確に感知するようにすることが望ましい。そして、駆動ギア（２４０）の位置感知手段は前記位置センサー（５００）及びマグネット（４００）に制限されることなく、多様な感知手段が装着可能さを明らかにする。
【００６０】
一方、図９を参照すれば、本発明によるノズル装置のギア列構造は前記駆動モーター（３００）と軸連結される駆動ギア（２４０）と、前記駆動ギア（２４０）と噛み合わせられ回転力を伝逹される従動ギア（２６０）及び前記従動ギア（２６０）の下側に一体に形成される第１ノズルギア（２７０）と、前記駆動ギア（２４０）と噛み合わせられ回転力を伝逹される伝逹ギア（２８０）及び前記伝逹ギア（２８０）の背面に一体に形成される第２ノズルギア（２９０）が含まれる。
【００６１】
図面で示したように本実施例では前記駆動ギア（２４０）の回転力が連結ギア（２５０）を通過しないで直接前記従動ギア（２６０）に伝逹することを特徴とする。従って、前記従動ギア（２６０）の回転方向は前記駆動ギア（２４０）の回転方向と反対になる。
【００６２】
図１０は本発明の第２実施例に該当するノズル部構造に装着される駆動ギアの正面図で、図１１は前記駆動ギアの背面図である。
【００６３】
図１０及び図１１を参照すれば、本発明による駆動ギア（２４０）は正面一側枠に所定の大きさのマグネット（４００）が装着されて位置センサー（５００）が前記駆動ギア（２４０）の位置を感知するように構成される。
【００６４】
詳細に説明すると、前記駆動ギア（２４０）は正面枠部に上部ギア歯（２４２）が形成されるための上部ギア歯形成リム（２４７）と、背面枠部に下部ギア歯（２４３）が形成されるための下部ギア歯形成リム（２４８）が含まれる。
【００６５】
又、前記下部ギア歯形成リム（２４８）の内側には所定の幅のキー溝（２４９ａ）が形成される。そして、前記下部ギア歯形成リム（２４０）円型の閉曲線帯ではなく、一側終端と他側終端が所定間隔を置いている。そして、前記下部ギア歯形成リム（２４８）の一側終端と他側終端の間の空間はキー引き出し口（２４９）として、後述するようになる洗浄キー又はビデキーが引き出される通路になる。
【００６６】
前記図９及び図１０−１１を参照してより詳細に説明すれば、前記上部ギア歯（２４２）は前記上部ギア歯形成リム（２４７）の下側一部に形成され、前記下部ギア歯（２４２）は前記下部ギア歯形成リム（２４８）の上側一部に形成される。そして、前記上部ギア歯（２４２）は前記従動ギア（２６０）のギア歯と噛み合わせられ、前記下部ギア歯（２４３）は前記伝逹ギア（２８０）のギア歯と噛み合わせられる。従って、前記洗浄ノズル（２１０）及びビデノズル（２２０）がノズルテイス（２３０）内部に引き入れられた中立状態で前記駆動ギア（２４０）が反時計方向に回転するようになれば、前記従動ギア（２６０）が時計方向に回転するようになる（図１２）。そして、前記従動ギア（２６０）の下側に一体で連結された前記第１ノズルギア（２７０）も時計方向に回転するようになって、前記第１ノズルギア（２７０）の枠部に絡められた上部ラックワイヤ（２１４）が動くようになる。そして、前記上部ラックワイヤ（２１４）と連結された前記ビデノズル（２２０）が引き出される。
【００６７】
一方、前記駆動ギア（２４０）が中立状態から時計方向に回転すれば前記伝逹ギア（２８０）及び前記第２ノズルギア（２９０）が反時計方向に回転する（図１３）。そして、前記第２ノズルギア（２９０）の外周面に絡められた下部ラックワイヤ（２２４）が回転して前記洗浄ノズル（２１０）が引き出される。
【００６８】
前記駆動ギア（２４０）の回転によるそれぞれのノズル引入出状態は下記でもより詳細に説明することにする。
【００６９】
図１２は本発明の第２実施例によるノズル部構造の右側面図で、図１３は本発明の第２実施例によるノズル部構造の左側面図である。
【００７０】
図１２を参照すれば、本発明の又他の実施例によるノズル部構造は上述したようにギア列の構造が違うように形成されて、ラックワイヤの案内ガイド形態において差がある。
【００７１】
詳細に説明すると、本実施例によるノズル部構造は前記で説明したノズル部構造と違い前記第１ノズルギア（２７０）の外周面に絡められる上部ラックワイヤ（２１４）はビデノズル（２２０）と連結される。より詳細に説明すると、前記ビデノズル（２２０）の外周面一側に形成されるラックワイヤ結合端（２２３）と前記上部ノズルの下側終端に形成された上部ラックワイヤヘッド（２１５）が図示されたように結合される。
【００７２】
又、前記上部ラックワイヤ（２１４）の上側終端は前記洗浄ノズル（２１０）が挿入される挿入部の上側部に形成された上部ラックワイヤガイド溝（２３６）上で往復する。そして、下側終端は前記ビデノズル（２２０）が挿入される挿入部の下側に形成されるラックワイヤ結合端ガイド溝（２３４）上で往復運動する。  
又、前記ノズルケース（２３０）の大体中央部である前記ビデノズル（２２０）と前記洗浄ノズル（２１０）の間には前記洗浄ノズル（２１０）の外周面に形成された洗浄キー（２１７）が往復するための洗浄キーガイド溝（２３５）が所定の長さで形成される。
【００７３】
又、前記洗浄キーガイド溝（２３５）の下側には前記ビデノズル（２２０）の側面に形成されたラックワイヤ結合端（２２３）が往復運動するための又他のラックワイヤ結合端ガイド溝（２３４）がより形成される。
【００７４】
詳細に説明すると、前記洗浄ノズル（２１０）は外周面上側にラックワイヤ結合端（２１３）が形成されて、側面に洗浄キー（２１７）が別途に突出形成されるが、前記洗浄ノズル（２１０）の下側に装着されるビデノズル（２２０）はラックワイヤで結合端（２２３）の上側部にビデキー（２２７）が一体に突出される。
【００７５】
図１３を参照すれば、前記第２ノズルギア（２９０）の外周面には下部ラックワイヤ（２２４）が絡められる。そして、前記下部ラックワイヤ（２２４）の移動を案内する前記下部ラックワイヤガイド溝（２３７）は前記ノズルケース（２３０）の左側面に形成される。詳細に説明すると、前記下部ラックワイヤガイド溝（２３７）は前記ノズルケース（２３０）の上側終端から始めて、前記ノズルケース（２３０）の枠形状に沿って形成される。そして、前記下部ラックワイヤガイド溝（２３７）に挿入される下部ラックワイヤ（２２４）は上側終端に下部ラックワイヤヘッド（２２５）が形成されて、前記下部ラックワイヤヘッド（２２５）と前記洗浄ノズル（２１０）の上側部に形成される前記ラックワイヤ結合端（２１３）が結合される。従って、前記第２ノズルギア（２９０）の回転方向によって前記洗浄ノズル（２１０）が引き出され又は引き入れられる。そして、前記洗浄キーガイド溝（２３５）に沿って往復運動する前記洗浄キー（２１７）は前記ラックワイヤ結合端（２１３）と大体直交される方向に形成される。
【００７６】
図１４は本発明の第２実施例による洗浄ノズル及びビデノズルと駆動ギアが結合され駆動される前の形態を示す図面である。
【００７７】
図１４を参照すれば、前記洗浄ノズル（２１０）の外周面に形成される洗浄キー（２１７）と前記ビデノズルの外周面に形成されるビデキー（２２７）は前記駆動ギア（２４０）の背面に形成されるキー溝（２４９ａ）に挿入される。そして、前記上部ギア歯形成リム（２４７）の一側終端と他側終端間に形成される空間が前記キー引き出し口（２４９）を通じて前記キー（２１７）（２２７）が引き出されたり又は引き入れられる。そして、前記洗浄キー（２１７）又はビデキー（２２７）中の一つが前記キー引き出し口（２４９）を通じて引き出されれば、他の一つのキーは前記下部ギア歯形成リム（２４８）の内周面に引っ掛かって搖れ動かないように構成される。
【００７８】
従って、前記ノズル（２１０）（２２０）と連結される洗浄水供給ホースが絡み付いている場合にも、ある一つのノズルが引き出される時他の一つのノズルはこれに影響を受けなくなる長所がある。より詳細な説明は下記で図面と一緒に説明することにする。
【００７９】
図１５は本発明の第２実施例によるノズル部構造において、ビデノズルが引き出される形態を示す図面で、図１６は前記ビデノズルが引き出される時洗浄ノズルの状態を示す図面である。
【００８０】
図１５及び図１６を参照すれば、前記ビデノズル（２２０）は前記第１ノズルギア（２７０）が時計方向に回転することで、前記上部ラックワイヤ（２１４）の下側終端がノズルケース（２３０）の前方に移動されて引き出される。
【００８１】
詳細に説明すれば、駆動モーター（３００）と連結された前記駆動ギア（２４０）が反時計方向に回転すれば、前記連結ギア（２６０）は時計方向に回転するようになる。そして、前記連結ギア（２６０）と一体に形成された前記第１ノズルギア（２７０）も時計方向に回転するようになる。そして、前記第１ノズルギア（２７０）の回転によって前記上部ラックワイヤ（２１４）が移動される。より詳細に説明すると、前記ビデノズル（２２０）の側面に形成された前記ビデキー（２２７）は前記駆動ギア（２４０）の背面に形成されたキー引き出し口（２９０）を通じて前方に引き出される。
【００８２】
一方、図１６で示したように、前記洗浄ノズル（２１０）の側面に形成された洗浄キー（２１７）は前記下部ギア歯形成リム（２４８）の内周面に接触された状態でかかるようになる。従って、前記駆動ギア（２４０）が中立状態から矢印方向に回転するようになれば、前記洗浄キー（２１７）は前記キー溝（２４９ａ）上に停止するようになる。
【００８３】
従って、前記ビデノズル（２２０）が引出入される過程で前記洗浄ノズル（２１０）はこれに影響を受けないで引き入れられた状態を維持するようになる。
【００８４】
図１７は本発明の第２実施例によるノズル部構造において、洗浄ノズルが引き出される形態を示す図面で、図１８は前記ビデノズルが引き出される時ビデノズルの状態を示す図面である。
【００８５】
図１７及び図１８を参照すれば、前記駆動ギア（２４０）が時計方向に回転して、前記駆動ギア（２４０）と噛み合わせられる前記伝逹ギア（２８０）が反時計方向に回転するようになる。そして、前記伝逹ギア（２８０）と一体に形成される前記第２ノズルギア（２９０）が反時計方向に回転するようになる。そして、前記第２ノズルギア（２９０）の外周面に絡められた下部ラックワイヤ（２２４）が移動される。
【００８６】
詳細に説明すると、前記下部ラックワイヤ（２２４）の上側終端に形成された下部ラックワイヤヘッド（２２５）が前記洗浄ノズル（２１０）の上側部に形成されたラックワイヤ結合端（２１３）と結合されるので、前記下部ラックワイヤ（２２４）の上側終端が前進しながら前記洗浄ノズル（２１０）が引き出されるようにする。
【００８７】
又、前記洗浄ノズル（２１０）の側面に形成された洗浄キー（２１７）は前記駆動ギア（２４０）の背面に形成された前記キー引き出し口（２４９）を通じて前方に引き出される。反対に、前記ビデノズル（２２０）の側面に形成されたビデキー（２２７）は図１８に図示されたように前記下部ギア歯形成リム（２４８）の内周面に引っ掛かって引き出されなくなる。  
【００８８】
前記のような構成によって、洗浄ノズルとビデノズルの中でどれか一つが引き出される過程で他の一つは引き出されるノズルに影響を受けない長所がある。
【産業上の利用可能性】
【００８９】
ビデノズルと洗浄ノズルが上下方向に形成されて、ノズルギアによって前記ビデノズルと洗浄ノズルが水圧の変化に影響を受けないでいつも設定された位置に引き出されることで、使用者の肛門及び局部に洗浄水が正確に噴射されるので、産業上その利用可能性が非常に高いということである。
【図面の簡単な説明】
【００９０】
【図１】本発明の思想によるノズル構造が具備されたビデ装置を示す透視図である。
【図２】本発明の第１実施例によるノズル部の右側斜視図である。
【図３】本発明の第１実施例によるノズル部の左側斜視図である。
【図４】本発明の第１実施例によるノズル装置において、ノズルケースが除去された状態のノズル装置を示す右側斜視図である。
【図５】ノズルケースが除去された状態の第１実施例によるノズル装置を示す左側斜視図である。
【図６】本発明の第１実施例によるビデノズル装置のギア部分を示す拡大斜視図である。
【図７】図２のＩ−Ｉ’線に沿って切開されるノズル装置の垂直断面図である。
【図８】本発明の思想によるノズル部構造の第２実施例を示す右側面図である。
【図９】前記ノズル部構造のギア列を示す右側面図である。
【図１０】本発明の第２実施例に該当するノズル部構造に装着される駆動ギアの正面図である。
【図１１】前記駆動ギアの背面図である。
【図１２】本発明の第２実施例によるノズル部構造の右側面図である。
【図１３】本発明の第２実施例によるノズル部構造の左側面図である。
【図１４】本発明の第２実施例による洗浄ノズル及びビデノズルと駆動ギアが結合されて駆動される前の形態を示す図である。
【図１５】本発明第２実施例によるノズル部構造において、ビデノズルが引き出される形態を示す図である。
【図１６】前記ビデノズルが引き出される時洗浄ノズルの状態を示す図である。
【図１７】本発明の第２実施例によるノズル部構造において、洗浄ノズルが引き出される形態を示す図である。
【図１８】前記ビデノズルが引き出される時ビデノズルの状態を示す図である。
【符号の説明】
【００９１】
１００  ビデ
１１０  シート
１２０  カバー
１３０  電場部
１４０  コントロールパネル
１５０  エアポンプ
１６０  流路転換バルブ
２００  ノズル部
２１０  洗浄ノズル
２２０  ビデノズル
２３０  ノズルケース
２４０  駆動ギア
２５０  連結ギア
２６０  従動ギア
２７０  第１ノズルギア
２８０  伝逹ギア
２９０  第２ギアノズル
３００  駆動モーター
【図１】
2006104924.tif 000003
【図２】
2006104924.tif 000004
【図３】
2006104924.tif 000005
【図４】
2006104924.tif 000006
【図５】
2006104924.tif 000007
【図６】
2006104924.tif 000008
【図７】
2006104924.tif 000009
【図８】
2006104924.tif 000010
【図９】
2006104924.tif 000011
【図１０】
2006104924.tif 000012
【図１１】
2006104924.tif 000013
【図１２】
2006104924.tif 000014
【図１３】
2006104924.tif 000015
【図１４】
2006104924.tif 000016
【図１５】
2006104924.tif 000017
【図１６】
2006104924.tif 000018
【図１７】
2006104924.tif 000019
【図１８】
2006104924.tif 000020